(57)【特許請求の範囲】
【請求項１】
第一操作部材と、
前記第一操作部材を照明する照明手段と、
前記第一操作部材に対する所定の操作に応じて前記照明手段による該第一操作部材の照明状態を制御する照明制御手段と、
照明手段を備えない複数の第二操作部材と、
前記照明手段による前記第一操作部材の照明状態が変更されると、各前記第二操作部材に対して割り当てる機能を一括して変更する割当機能変更手段と、
を備える、
撮影装置。
【請求項２】
前記照明制御手段は、
前記第一操作部材に対する所定の操作に応じて前記照明手段の点灯と消灯とを切り替え、
前記割当機能変更手段は、
前記照明手段による前記第一操作部材の照明時と非照明時とで前記各第二操作部材に割り当てられる機能を切り替える、
請求項１に記載の撮影装置。
【請求項３】
所定の機能を示すマークが前記各第二操作部材に付されており、
前記割当機能変更手段は、
前記照明手段により前記第一操作部材が照明されている間、前記マークに示される機能を前記各第二操作部材に割り当てる、
請求項２に記載の撮影装置。
【請求項４】
前記複数の第二操作部材が前記第一操作部材の周囲に並べて配置されている、
請求項１から請求項３の何れか一項に記載の撮影装置。
【請求項５】
前記第一操作部材は、
操作を決定するための決定キーであり、
前記複数の第二操作部材は、
前記第一操作部材の上下左右に配置された４つの操作キーである、
請求項４に記載の撮影装置。
【発明の詳細な説明】
【技術分野】
【０００１】
本発明は、操作部材を備える撮影装置に関する。
【背景技術】
【０００２】
撮影装置には、ユーザの操作を受け付けるための操作部材が備えられている。この種の撮影装置の具体的構成が、例えば特許文献１に記載されている。
【０００３】
特許文献１に記載の撮影装置には、筐体背面に十字キータイプの選択ボタンが設けられ、選択ボタンに取り囲われる位置に決定ボタンが設けられている。ユーザは、選択ボタンを操作することで各種機能を選択し、決定ボタンを押すことにより撮影装置を選択ボタンで選択した機能で動作させることができる。
【先行技術文献】
【特許文献】
【０００４】
【特許文献１】特開２００２−３５０９５５号公報
【発明の概要】
【発明が解決しようとする課題】
【０００５】
近年、撮影装置の高機能化に伴い、ユーザの操作によって設定可能な機能が増えている。その一方で、撮影装置には小型化の要請が恒常的に存在する。そのため、増加する機能に対応させてハードウェアキー等の操作部材を増設することは難しい。また、増加する機能に対応させてソフトウェアキーを設計することが考えられる。しかし、メニュー構成が複雑化（例えば各種機能を多数の階層構造に配置するなど）する虞があり、特に、操作部材による操作に慣れ親しむユーザにとっては使い勝手が悪くなる（例えばシャッタチャンスを逃しやすい。）という問題が指摘される。
【０００６】
本発明は上記の事情に鑑みてなされたものであり、その目的とするところは、操作部材の設置数を抑えつつ操作部材で操作可能な機能の数を増やすのに好適な撮影装置を提供することである。
【課題を解決するための手段】
【０００７】
本発明の一実施形態に係る撮影装置は、第一操作部材と、第一操作部材を照明する照明手段と、第一操作部材に対する所定の操作に応じて照明手段による該第一操作部材の照明状態を制御する照明制御手段と、複数の第二操作部材と、照明手段による第一操作部材の照明状態毎に各第二操作部材に異なる機能を割り当てる機能割当手段とを備える。
【０００８】
また、本発明の一実施形態において、照明制御手段は、第一操作部材に対する所定の操作に応じて照明手段の点灯と消灯とを切り替える構成としてもよい。この構成において、機能割当手段は、照明手段による第一操作部材の照明時と非照明時とで各第二操作部材に割り当てられる機能を切り替える。
【０００９】
また、本発明の一実施形態においては、所定の機能を示すマークが各第二操作部材に付されていてもよい。この場合、機能割当手段は、例えば、照明手段により第一操作部材が照明されている間、マークに示される機能を各第二操作部材に割り当てる。
【００１０】
また、本発明の一実施形態においては、複数の第二操作部材が第一操作部材の周囲に並べて配置されてもよい。
【００１１】
また、本発明の一実施形態において、第一操作部材は、例えば、操作を決定するための決定キーであり、複数の第二操作部材は、例えば、第一操作部材の上下左右に配置された４つの操作キーである。
【発明の効果】
【００１２】
本発明の一実施形態によれば、操作部材の設置数を抑えつつ操作部材で操作可能な機能の数を増やすのに好適な撮影装置が提供される。
【図面の簡単な説明】
【００１３】
【図１】本発明の実施形態の撮影装置の構成を示すブロック図である。
【図２】本発明の実施形態の撮影装置に備えられるカメラ本体部の背面図である。
【図３】本発明の実施形態のカメラ本体部の筐体背面の一部を拡大して示す図である。
【図４】本発明の実施形態のモードダイヤルの背面におけるＬＥＤの配置例を概略的に示す図である。
【図５】本発明の実施形態において実行されるモードダイヤルの照明制御フローを示す図である。
【図６】本発明の実施形態において実行される中央キーの機能割当制御フローを示す図である。
【発明を実施するための形態】
【００１４】
以下、本発明の実施形態の撮影装置について図面を参照しながら説明する。以下においては、本発明の一実施形態として、デジタル一眼レフカメラについて説明する。なお、撮影装置は、デジタル一眼レフカメラに限らず、例えばミラーレス一眼カメラなど、他のレンズ交換式カメラであってもよい。
【００１５】
［撮影装置１全体の構成］
図１は、本実施形態の撮影装置１の構成を示すブロック図である。図１に示されるように、撮影装置１は、カメラ本体部１０及びカメラ本体部１０に着脱可能に装着される交換レンズ２０を備えている。
【００１６】
カメラ本体部１０は、ＣＰＵ（Central Processing Unit）１００、操作部１０２、駆動回路１０４、発光部１０６、外光検知部１０８、シャッタ１１０、固体撮像素子１１２、信号処理回路１１４、画像処理エンジン１１６、バッファメモリ１１８、カード用インタフェース１２０、ＬＣＤ（Liquid Crystal Display）制御回路１２２、ＬＣＤ１２４及びＲＯＭ（Read Only Memory）１２６を備えている。交換レンズ２０は、撮影レンズ２００及び絞り２０２を備えている。なお、撮影レンズ２００は複数枚構成であるが、図１においては便宜上一枚のレンズとして示す。
【００１７】
操作部１０２には、電源レバーやレリーズスイッチ、モードダイヤルなど、ユーザが撮影装置１を操作するために必要な各種スイッチが含まれる。ユーザにより電源レバーが操作されると、図示省略されたバッテリから撮影装置１の各種回路に電源ラインを通じて電源供給が行われる。ＣＰＵ１００は電源供給後、ＲＯＭ１２６にアクセスして制御プログラムを読み出してワークエリア（不図示）にロードし、ロードされた制御プログラムを実行することにより、撮影装置１全体の制御を行う。
【００１８】
レリーズスイッチが操作されると、ＣＰＵ１００は、例えば、固体撮像素子１１２により撮像されたライブビュー（後述）から計算された測光値や、撮影装置１に内蔵されたＴＴＬ（Through The Lens）露出計（不図示）で測定された測光値に基づき適正露出が得られるように、駆動回路１０４を介して絞り２０２及びシャッタ１１０を駆動制御する。より詳細には、絞り２０２及びシャッタ１１０の駆動制御は、プログラムＡＥ（Automatic Exposure）、シャッタ優先ＡＥ、絞り優先ＡＥなど、撮影モードスイッチにより指定されるＡＥ機能に基づいて行われる。また、ＣＰＵ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。ＣＰＵ１００は、ＡＦ結果に基づいて駆動回路１０４を介して撮影レンズ２００を駆動制御し、撮影レンズ２００の焦点を調整する。なお、この種のＡＥ及びＡＦの構成及び制御については周知であるため、ここでの詳細な説明は省略する。
【００１９】
被写体からの光束は、撮影レンズ２００、絞り２０２、シャッタ１１０を通過して固体撮像素子１１２の受光面にて受光される。固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮像装置に置き換えられてもよい。固体撮像素子１１２はまた、補色系フィルタを搭載したものであってもよい。
【００２０】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えばクランプ）しか施されないＲＡＷ形式であってもよい。
【００２１】
カード用インタフェース１２０のカードスロットには、メモリカード３００が着脱可能に差し込まれている。
【００２２】
画像処理エンジン１１６は、カード用インタフェース１２０を介してメモリカード３００と通信可能である。画像処理エンジン１１６は、生成された圧縮画像信号（撮影画像データ）をメモリカード３００（又は撮影装置１に備えられる不図示の内蔵メモリ）に保存する。
【００２３】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な輝度及びピントで撮影されたリアルタイムのスルー画（ライブビュー）を、ＬＣＤ１２４の表示画面を通じて視認することができる。
【００２４】
画像処理エンジン１１６は、ユーザにより撮影画像の再生操作が行われると、操作により指定された撮影画像データをメモリカード３００又は内蔵メモリ（不図示）より読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、撮影画像がＬＣＤ１２４の表示画面に表示される。
【００２５】
カメラ本体部１０の筐体１０ａには、操作部１０２を構成する各種操作部材が支持されている。図２に、カメラ本体部１０の背面図を示す。図２に示されるように、筐体１０ａの背面には、ＬＶボタン１０２ａ、再生ボタン１０２ｂ、ＭＥＮＵボタン１０２ｃ、ＡＦボタン１０２ｄ、ＩＮＦＯボタン１０２ｅ、操作部材１０２０等の複数の操作部材が配置されている。
【００２６】
ＬＶボタン１０２ａは、例えばＬＣＤ１２４の表示画面上へのライブビューの表示／撮影画像の消去を行うためのボタンである。再生ボタン１０２ｂは、例えばＬＣＤ１２４の表示画面上への撮影画像の再生を行うためのボタンである。ＭＥＮＵボタン１０２ｃは、例えばＬＣＤ１２４の表示画面上へのメニューの表示を行うためのボタンである。ＡＦボタン１０２ｄは、例えばＡＦ駆動／ＡＥロックを行うためのボタンである。ＩＮＦＯボタン１０２ｅは、例えば撮影装置１の現在の設定の確認と設定項目の変更を行うためのボタンである。なお、筐体１０ａの上面にも、電源レバー１０２ｆ、レリーズスイッチ１０２ｇ、Ｆ値等を設定するための電子ダイヤル１０２ｈ等の複数の操作部材が配置されている。
【００２７】
［モードダイヤル１０２１に関する説明］
図３に、筐体１０ａの背面のうち操作部材１０２０及びその周辺の構成を拡大して示す。図３に示されるように、操作部材１０２０は、円環形状を持つモードダイヤル１０２１を備えている。
【００２８】
モードダイヤル１０２１は、例えば黒塗装等された金属製部品又は樹脂製部品であるが、銘板面１０２１ａの一部が撮影装置１の各モードのマークを模した半透明体の樹脂で形成されている。各マークの半透明体は、銘板面１０２１ａ上に円環状に並べて形成されている。すなわち、銘板面１０２１ａは、黒地に、半透明体のマークが円環状に並べて付された外観となっている。
【００２９】
筐体１０ａの背面には指標１０ｂが形成されている。モードダイヤル１０２１は、ユーザの指等で回転操作されたときに周知のクリック機構により回転時にクリック感が得られるようになっており、銘板面１０２１ａ上の各マークが指標１０ｂに指し示される角度位置毎に回転及び回転停止可能に筐体１０ａに支持されている。
【００３０】
銘板面１０２１ａに付された示すマークは、「Ｐ」、「Ｓｖ」、「Ｔｖ」、「Ａｖ」、「ＴＡｖ」、「Ｍ」、「Ｂ」、「ＥＦＦＥＣＴ」、「ＳＣＮ」、「ＡＵＴＯ」である。マークＰは、プログラムＡＥの露出モードを示す。マークＳｖは、感度優先ＡＥの露出モードを示す。マークＴｖは、シャッタ優先ＡＥの露出モードを示す。マークＡｖは、絞り優先ＡＥの露出モードを示す。マークＴＡｖは、シャッタ及び絞り優先ＡＥ（感度自動設定）の露出モードを示す。マークＭは、マニュアルの露出モードを示す。マークＢは、バルブ撮影モードを示す。マークＥＦＦＥＣＴは、デジタルフィルタ（トイカメラ、レトロ、ハイコントラスト等）の設定モードを示す。マークＳＣＮは、撮影シーン（夜景、サーフ＆スノー、ペット等）の設定モードを示す。マークＡＵＴＯは、最適な撮影条件（撮影シーンや露出モード等）への自動設定モードを示す。なお、図２の例では、モードダイヤル１０２１は、マニュアルの露出モードを有効にするため、指標１０ｂに指し示される位置（以下、便宜上「指標位置」と記す。）にマークＭが来るように回転操作されている。以下、説明の便宜上、銘板面１０２１ａに付されたマークの中で指標位置に置かれたマークを「指標位置マーク」と記し、指標位置マーク以外の残りのマークを「非選択マーク」と記す。
【００３１】
モードダイヤル１０２１の背面（筐体１０ａ内）には、発光部１０６が有する４つのＬＥＤ（１つのＬＥＤ（Light Emitting Diode）１０６ａ及び３つのＬＥＤ１０６ｂ）が配置されている。図４（ａ）に、ＬＥＤ１０６ａ及びＬＥＤ１０６ｂの配置例を概略的に示す。図４（ａ）では、説明の便宜上、指標１０ｂを一点鎖線で示す。図４（ａ）に示されるように、ＬＥＤ１０６ａ及びＬＥＤ１０６ｂはホルダ１０６Ａに保持されている。
【００３２】
図４（ａ）に示されるように、ホルダ１０６Ａには、一対の遮光壁１０６Ａａが形成されている。ＬＥＤ１０６ａは、一対の遮光壁１０６Ａａ間に配置されている。より詳細には、ＬＥＤ１０６ａは、ホルダ１０６Ａとモードダイヤル１０２１とで規定される遮光スペースＳａ内であって、指標位置マーク（半透明体）の直下に配置されており、ＣＰＵ１００の制御下で例えば緑色で発光して、指標位置マークをモードダイヤル１０２１の背面側から照明する。これにより、指標位置マーク（図２の例ではマークＭ）が緑色を帯びて光る。
【００３３】
図４（ａ）に示されるように、３つのＬＥＤ１０６ｂは、各遮光壁１０６Ａａを端部とするＣ字状のスペースに等ピッチで配置されている。より詳細には、ＬＥＤ１０６ｂは、ホルダ１０６Ａとモードダイヤル１０２１とで規定される遮光スペースＳｂ内に配置されており、ＣＰＵ１００の制御下で例えば白色で発光して、非選択マーク（半透明体）をモードダイヤル１０２１の背面側から照明する。これにより、非選択マーク（図２の例では、マークＰ、Ｓｖ、Ｔｖ、Ａｖ、ＴＡｖ、Ｂ、ＥＦＦＥＣＴ、ＳＣＮ、ＡＵＴＯ）が白色を帯びて光る。なお、遮光スペースＳｂ内に配置されるＬＥＤ１０６ｂの数は３つに限らない。遮光スペースＳｂ内におけるＬＥＤ１０６ｂの配置数は、１つ又は２つ又は４つ以上（例えば非選択マーク（半透明体）に対応する位置毎に（合計で９つ））であってもよい。
【００３４】
遮光壁１０６Ａａは、遮光スペースＳａと遮光スペースＳｂとを遮光する。そのため、ＬＥＤ１０６ａより発せられた光が非選択マーク（半透明体）を照明することがなく、ＬＥＤ１０６ｂより発せられた光が指標位置マーク（半透明体）を照明することもない。すなわち、本実施形態では、指標位置マークと非選択マークとが独立に照明されて光る構成となっている。
【００３５】
また、ＬＥＤ１０６ｂは、非選択マーク（半透明体）に対応する位置毎に（合計で９つ）配置されてもよい。図４（ｂ）に、本実施形態の変形例におけるＬＥＤ１０６ａ及びＬＥＤ１０６ｂの配置例を概略的に示す。図４（ｂ）においても説明の便宜上、指標１０ｂを一点鎖線で示す。本変形例では、図４（ｂ）に示されるように、１０個のＬＥＤ（１つのＬＥＤ１０６ａ及び９つのＬＥＤ１０６ｂ）がホルダ１０６Ｂに保持されている。また、ホルダ１０６Ｂには、各ＬＥＤを収容保持する遮光スペースＳａ、Ｓｂ１〜Ｓｂ９間を遮光する遮光壁１０６Ｂａが形成されている。
【００３６】
図４（ｂ）の例では、９つのＬＥＤ１０６ｂが、対応する遮光スペース内であって、非選択マーク（半透明体）の直下に配置されており、ＣＰＵ１００により独立に発光制御される。すなわち、本変形例では、１０個全てのマークが独立に照明されて光る構成となっている。
【００３７】
［モードダイヤル１０２１の照明制御フロー］
次に、図５を用いてＣＰＵ１００によるモードダイヤル１０２１の照明制御フローを説明する。本フローは、例えば、撮影装置１の電源投入後、所定の制御プログラムがワークエリアにロードされてシステムが起動すると同時に開始される。
【００３８】
［図５のＳ１１（全てのマークの照明）］
本処理ステップＳ１１では、システム起動後、ＬＥＤ１０６ａ及び１０６ｂが発光することにより、モードダイヤル１０２１に付された全てのマーク（半透明体）が照明されて光を帯びる。そのため、ユーザは、例えば暗闇の中でもモードダイヤル１０２１に付された全てのマークを視認することができる。
【００３９】
［図５のＳ１２（撮影装置１の状態の検知）］
本処理ステップＳ１２では、撮影装置１の状態が検知される。例示的には、交換レンズ２０が装着されているか等が検知される。
【００４０】
［図５のＳ１３（指標位置モードに対する判定）］
本処理ステップＳ１３では、処理ステップＳ１２（撮影装置１の状態の検知）における検知結果に基づいて、撮影装置１が指標位置マークに対応するモードで動作可能か否か（有効か無効か）が判定される。以下、説明の便宜上、指標位置マークに対応するモードを「指標位置モード」と記し、指標位置モード以外の残りのモードを「非選択モード」と記す。
【００４１】
交換レンズ２０が未装着状態であれば、撮影装置１（カメラ本体部１０）は、例示的には、絞り優先ＡＥ（マークＡｖ）、マニュアル設定（マークＭ）、バルブ撮影モード（マークＢ）、デジタルフィルタ設定（マークＥＦＦＥＣＴ）の各モードで動作することができ、プログラムＡＥ（マークＰ）、感度優先ＡＥ（マークＳｖ）、シャッタ優先ＡＥ（マークＴｖ）、シャッタ及び絞り優先ＡＥ（マークＴＡｖ）、撮影シーン設定モード（マークＳＣＮ）、撮影条件自動設定モード（マークＡＵＴＯ）の各モードで動作することができない。そのため、マークＡｖ、Ｍ、Ｂ及びＥＦＦＥＣＴに対応するモードは有効と判定され、マークＰ、Ｓｖ、Ｔｖ、ＴＡｖ、ＳＣＮ及びＡＵＴＯに対応するモードは無効と判定される。
【００４２】
［図５のＳ１４（指標位置マークに対する照明の継続）］
本処理ステップＳ１４は、処理ステップＳ１３（指標位置モードに対する判定）にて指標位置モードが有効と判定された場合（Ｓ１３：ＹＥＳ）に実行される。本処理ステップＳ１４では、システムが起動されてから所定時間が経過すると、ＬＥＤ１０６ｂによる非選択マーク（半透明体）に対する照明が停止（消灯）される。その一方で、ＬＥＤ１０６ａによる指標位置マーク（半透明体）に対する照明が継続される。すなわち、指標位置マークだけは、システムが起動されてから所定時間経過後も緑色を帯びて光り続ける。ユーザは、指標位置マークだけが光り続けていることを視認することにより、撮影装置１が指標位置モードで有効に動作することを把握できる。なお、指標位置マークに対する照明は、例えば省電力化のため、更に所定時間が経過した時点で停止されてもよい。
【００４３】
［図５のＳ１５（指標位置マークに対する照明の停止）］
本処理ステップＳ１５は、処理ステップＳ１３（指標位置モードに対する判定）にて指標位置モードが無効と判定された場合（Ｓ１３：ＮＯ）に実行される。本処理ステップＳ１５では、システムが起動されてから所定時間が経過すると、指標位置マークを含む全てのマーク（半透明体）に対する照明が停止される。すなわち、全てのマークが、システムが起動されてから所定時間経過後に照明が停止されて暗くなる。ユーザは、指標位置マークが暗くなったことを視認することにより、撮影装置１が指標位置モードで動作できないことを容易に把握できる。換言すると、撮影装置１が指標位置モードで動作するというユーザの誤認が避けられる。なお、交換レンズ２０の未装着状態において指標位置モードが無効である場合、撮影装置１は、一律に、絞り優先ＡＥ（マークＡｖ）で動作する。
【００４４】
また、本処理ステップＳ１５では、指標位置マークに対する照明を停止させているが、これに代えて、指標位置マークを点滅照明する、指標位置マークを異なる色（緑色以外の色）で照明する、指標位置マークを異なる色で且つ点滅照明する等してもよい。このように、無効と判定された指標位置モード（指標位置マーク）に対する照明状態を制御することにより、撮影装置１が指標位置モードで動作できないことをユーザに容易に把握させることができる。なお、指標位置マークに対する点滅照明や異なる色による照明も、例えば省電力化のため、更に所定時間が経過した時点で停止されてもよい。
【００４５】
［図５のＳ１６（操作の検知）］
本処理ステップＳ１６では、モードダイヤル１０２１に対する操作が検知される（Ｓ１６：ＹＥＳ）。本処理ステップＳ１６は、かかる操作が検知されるまで繰り返される。
【００４６】
［図５のＳ１７（全てのマークの照明）］
本処理ステップＳ１７は、処理ステップＳ１６（操作の検知）にてモードダイヤル１０２１に対する操作が検知されると（Ｓ１６：ＹＥＳ）実行される。本処理ステップＳ１７では、ＬＥＤ１０６ａ及び１０６ｂが発光することにより、モードダイヤル１０２１に付された全てのマーク（半透明体）が照明されて光を帯びる。そのため、ユーザは、モードダイヤル１０２１に対する操作が受け付けられたことを視覚的に把握しやすい。
【００４７】
［図５のＳ１８（撮影装置１の状態の検知）］
本処理ステップＳ１２では、撮影装置１の状態が検知される。例示的には、交換レンズ２０が装着されているか、動画撮影状態であるか、等が検知される。
【００４８】
動画撮影状態であれば、撮影装置１は、例示的には、プログラムＡＥ（マークＰ）、絞り優先ＡＥ（マークＡｖ）、シャッタ及び絞り優先ＡＥ（マークＴＡｖ）、マニュアル設定（マークＭ）、デジタルフィルタ設定（マークＥＦＦＥＣＴ）の各モードで動作することができ、感度優先ＡＥ（マークＳｖ）、シャッタ優先ＡＥ（マークＴｖ）、バルブ撮影モード（マークＢ）、撮影シーン設定モード（マークＳＣＮ）、撮影条件自動設定モード（マークＡＵＴＯ）の各モードで動作することができない。そのため、マークＰ、Ａｖ、ＴＡｖ、Ｍ及びＥＦＦＥＣＴに対応するモードは有効と判定され、マークＳｖ、Ｔｖ、Ｂ、ＳＣＮ及びＡＵＴＯに対応するモードは無効と判定される。
【００４９】
［図５のＳ１９（指標位置モードに対する判定）］
本処理ステップＳ１９では、処理ステップＳ１８（撮影装置１の状態の検知）における検知結果に基づいて、撮影装置１が処理ステップＳ１６（操作の検知）にて検知された操作を介して選択された指標位置モード（及び非選択モード）で動作可能か否か（有効か無効か）が判定される。
【００５０】
［図５のＳ２０（指標位置マークに対する照明の継続）］
本処理ステップＳ２０は、処理ステップＳ１９（指標位置モードに対する判定）にて操作により選択された指標位置モードが有効と判定された場合（Ｓ１９：ＹＥＳ）に実行される。本処理ステップＳ２０では、モードダイヤル１０２１に対する操作が終了してから所定時間が経過すると、ＬＥＤ１０６ｂによる非選択マーク（半透明体）に対する照明が停止される。その一方で、ＬＥＤ１０６ａによる指標位置マーク（半透明体）に対する照明が継続される。ユーザは、指標位置マークだけが光り続けていることを視認することにより、撮影装置１が操作により選択された指標位置モードで有効に動作することを容易に把握できる。なお、指標位置マークに対する照明は、例えば省電力化のため、更に所定時間が経過した時点で停止されてもよい。
【００５１】
［図５のＳ２１（指標位置マークに対する照明の停止）］
本処理ステップＳ２１は、処理ステップＳ１９（指標位置モードに対する判定）にて指標位置モードが無効と判定された場合（Ｓ１９：ＮＯ）に実行される。本処理ステップＳ２１では、モードダイヤル１０２１に対する操作が終了してから所定時間が経過すると、指標位置マークを含む全てのマーク（半透明体）に対する照明が停止される。ユーザは、指標位置マークが暗くなったことを視認することにより、撮影装置１が指標位置モードで動作できないことを容易に把握できる。換言すると、撮影装置１が指標位置モードで動作するというユーザの誤認が避けられる。なお、動画撮影状態において指標位置モードが無効である場合、撮影装置１は、一律に、プログラムＡＥ（マークＰ）で動作する。また、本処理ステップＳ２１においても処理ステップＳ１５（指標位置マークに対する照明の停止）と同様に、指標位置マークに対する照明の停止に代えて、指標位置マークに対する点滅照明、指標位置マークに対する異なる色での照明、又はこれらを組み合わせた照明等が行われてもよい。
【００５２】
なお、１０個全てのマークが独立に照明されて光る構成（図４（ｂ）参照）の場合は、モードダイヤル１０２１に対する操作が終了してから所定時間経過後、全ての非選択マーク（半透明体）に対する照明を停止するのではなく、例えば現在動作可能な非選択モードについては照明を継続してもよい。この場合、ユーザは、光り続けている非選択モードを視認することにより、現在有効に動作可能なモードを容易に把握できる。
【００５３】
処理ステップＳ２０（指標位置マークに対する照明の継続）又はＳ２１（指標位置マークに対する照明の停止）が終了されると、本フローは、処理ステップＳ１６（操作の検知）に戻り、処理ステップＳ１６以降の処理が繰り返される。本フローは、例えば撮影装置１の電源が切られるまで実行される。
【００５４】
本実施形態の変形例として、処理ステップＳ１７（全てのマークの照明）において、処理ステップＳ１６（操作の検知）にてモードダイヤル１０２１に対する操作が検知されると、全てのマーク（半透明体）ではなく非選択マークがＬＥＤ１０６ｂにより照明されて光を帯びるようにしてもよい。この場合は、モードダイヤル１０２１に対する操作により選択された指標位置モードが有効と判定された場合（Ｓ１９：ＹＥＳ）にはじめて、ＬＥＤ１０６ａによる指標位置マークに対する照明が行われ、モードダイヤル１０２１に対する操作により選択された指標位置モードが無効と判定された場合（Ｓ１９：ＮＯ）には、例えば、ＬＥＤ１０６ａによる指標位置マークに対する照明が行われなかったり、指標位置マークに対して点滅照明が行われたり、指標位置マークが異なる色で照明されたりしてもよい。
【００５５】
［中央キー１０２２に関する説明］
図３に示されるように、操作部材１０２０は、モードダイヤル１０２１の内側領域に中央キー１０２２を備えている。中央キー１０２２は、操作を決定（確定）するための決定キー１０２２Ａを有している。また、中央キー１０２２は、決定キー１０２２Ａの周囲（上下左右）に並べて配置された４つの機能キー１０２２Ｂａ〜Ｂｄを有している。
【００５６】
決定キー１０２２Ａは、例えば半透明体の樹脂製部品であり、「ＯＫ」の文字がプリントされている。機能キー１０２２Ｂａ〜Ｂｄは、例えば黒塗装等された金属製部品又は樹脂製部品であり、それぞれに、「ＩＳＯ」の文字、ドライブ設定の絵文字、「ＷＢ」の文字、フラッシュ設定の絵文字がプリントされている。
【００５７】
決定キー１０２２Ａの背面（筐体１０ａ内であって決定キー１０２２Ａの直下）には、発光部１０６を構成するＬＥＤ１０６ｃが配置されている。ＬＥＤ１０６ｃは、ＣＰＵ１００の制御下で例えば青色で発光して、決定キー１０２２Ａをその背面側から照明する。これにより、決定キー１０２２Ａが青色を帯びて光る。
【００５８】
［中央キー１０２２の機能割当制御フロー］
次に、図６を用いてＣＰＵ１００による中央キー１０２２の機能割当制御フローを説明する。本フローは、例えば、撮影装置１の電源投入後、所定の制御プログラムがワークエリアにロードされてシステムが起動すると同時に開始される。
【００５９】
［図６のＳ３１（各機能キー１０２２Ｂａ〜Ｂｄへの機能の割り当て）］
本処理ステップＳ３１では、機能キー１０２２Ｂａ〜Ｂｄに対してデフォルト機能が割り当てられる。本実施形態において、デフォルト機能とは、各機能キー１０２２Ｂａ〜Ｂｄにプリントされた絵文字等に対応する機能である。具体的には、機能キー１０２２Ｂａに感度の設定機能が割り当てられ、機能キー１０２２Ｂｂにドライブモード（セルフタイマ撮影、連写撮影等）の設定機能が割り当てられ、機能キー１０２２Ｂｃにホワイトバランスの設定機能が割り当てられ、機能キー１０２２Ｂｄにフラッシュの設定機能が割り当てられる。
【００６０】
［図６のＳ３２（決定キー１０２２Ａの照明）］
本処理ステップＳ３２では、ＬＥＤ１０６ｃが発光することにより、決定キー１０２２Ａが照明されて光を帯びる。ユーザは、決定キー１０２２Ａが青色を帯びて光っていることを視認することにより、機能キー１０２２Ｂａ〜Ｂｄにデフォルト機能が割り当てられていることを容易に把握できる。
【００６１】
例えば機能キー１０２２Ｂｂが操作されると、ＬＣＤ１２４の表示画面が規定の表示（Ｆ値等の撮影条件を表示するステータス画面やライブビュー等）からドライブモードの設定画面に遷移する。ドライブモードの設定画面に遷移後、機能キー１０２２Ｂａ〜Ｂｄには、十字キー（方向指示キー）としての機能が割り当てられる。ユーザは、機能キー１０２２Ｂａ〜Ｂｄを操作することにより、ドライブモードの設定画面上のフォーカスを移動させることができる。ユーザが機能キー１０２２Ｂａ〜Ｂｄを操作して設定画面内の所望の項目にフォーカスを当てて決定キー１０２２Ａを操作すると、撮影装置１が該項目のドライブモードに設定されると共にＬＣＤ１２４の表示画面が規定の表示に戻る。なお、決定キー１０２２Ａは、ドライブモードの設定画面表示中も、ＬＥＤ１０６ｃによって照明されて光を帯びている。ユーザは、決定キー１０２２Ａが青色を帯びて光っていることを視認することにより、デフォルト機能の設定操作中であることを容易に把握できる。また、決定キー１０２２Ａは、ドライブモードの設定画面表示中、ＬＥＤ１０６ｃによる照明が停止されてもよい。この場合、ユーザは、決定キー１０２２Ａに対する照明が停止されたことを視認することにより、決定キー１０２２Ａの上下左右に近接配置された機能キー１０２２Ｂａ〜Ｂｄがそれぞれにプリントされている各機能の呼出しキーではなく、フォーカス移動のための十字キーとして動作すること（概略的には、機能キー１０２２Ｂａ〜Ｂｄの役割が変わったこと）を容易に把握できる。
【００６２】
［図６のＳ３３（決定キー１０２２Ａに対する操作の判定）］
本処理ステップＳ３３では、規定の表示（ステータス画面やライブビュー等）中に決定キー１０２２Ａが操作されたか否かが判定される。
【００６３】
［図６のＳ３４（各機能キー１０２２Ｂａ〜Ｂｄへの割り当て機能の変更）］
本処理ステップＳ３４は、処理ステップＳ３３（操作の判定）にて規定の表示（ステータス画面やライブビュー等）中に決定キー１０２２Ａが操作されたと判定された場合（Ｓ３３：ＹＥＳ）に実行される。本処理ステップＳ３４では、機能キー１０２２Ｂａ〜Ｂｄに対してデフォルト機能と異なる機能が割り当てられる。
【００６４】
本実施形態では、決定キー１０２２Ａの操作を受けて、例えば、測距点を設定するための測距点設定画面がＬＣＤ１２４の表示画面に表示されると共に、測距点設定画面内で測距点を上下左右の各方向に移動させるための十字キー機能が機能キー１０２２Ｂａ〜Ｂｄに割り当てられる。
【００６５】
［図６のＳ３５（決定キー１０２２Ａに対する照明の停止）］
本処理ステップＳ３５では、ＬＥＤ１０６ｃによる決定キー１０２２Ａに対する照明が停止される。ユーザは、決定キー１０２２Ａが暗くなったことを視認することにより、機能キー１０２２Ｂａ〜Ｂｄに割り当てられる機能が変更されたことを容易に把握できる。
【００６６】
ユーザは、機能キー１０２２Ｂａ〜Ｂｄを操作することにより、測距点設定画面内で測距点を所望の方向（位置）に移動させることができる。ユーザが機能キー１０２２Ｂａ〜Ｂｄを操作して測距点を所望の位置に移動させて決定キー１０２２Ａを操作すると、測距点が該位置に設定されると共にＬＣＤ１２４の表示画面が規定の表示（ステータス画面やライブビュー等）に戻る。
【００６７】
［図６のＳ３６（決定キー１０２２Ａに対する操作の判定）］
本処理ステップＳ３６では、規定の表示（ステータス画面やライブビュー等）中に決定キー１０２２Ａが操作されたか否かが判定される。規定の表示中に決定キー１０２２Ａが操作されたと判定されると（Ｓ３６：ＹＥＳ）、本フローは、処理ステップＳ３１（各機能キーへの機能の割り当て）に戻り、処理ステップＳ３１以降の処理が繰り返される。本フローは、例えば撮影装置１の電源が切られるまで実行される。
【００６８】
本実施形態によれば、機能キー１０２２Ｂａ〜Ｂｄに多数の機能が割り当てられる。また、ユーザは、決定キー１０２２Ａの照明状態を視認することにより、機能キー１０２２Ｂａ〜Ｂｄに割り当てられている機能を容易に把握できる。そのため、本実施形態の撮影装置１は、操作部材の設置数を抑えつつ操作部材で操作可能な機能の数を増やすのに好適な構成といえる。
【００６９】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００７０】
本実施形態においてＬＥＤ１０６ａ〜１０６ｃは、それぞれ緑色、白色、青色で発光しているが、別の実施形態では他の色で発光してもよい。
【００７１】
また、ＬＥＤ１０６ａ〜ＬＥＤ１０６ｃは、フォトセンサ等の外光検知部１０８にて検知された外光（明るさ）に応じて照明強度が調節されてもよい。具体的には、ＬＥＤ１０６ａ〜ＬＥＤ１０６ｃは、昼間等の明るいときには照明強度が下げられて、夜間等の暗いときには照明強度が上げられる。また、ＬＥＤ１０６ａ〜ＬＥＤ１０６ｃは、昼間等の明るいときには省電力化のため、消灯されてもよい。
【００７２】
また、本実施形態の変形例において、決定キー１０２２Ａは、トグル方式で照明状態（照明される色や点灯／点滅状態等）が変化する構成であってもよい。この構成において、機能キー１０２２Ｂａ〜Ｂｄには、決定キー１０２２Ａの照明状態毎に異なる機能が割り当てられる。本変形例によれば、機能キー１０２２Ｂａ〜Ｂｄに更に多数の機能を割り当てつつも、機能キー１０２２Ｂａ〜Ｂｄに割り当てられている機能をユーザに容易に把握させることができる。
【符号の説明】
【００７３】
１  撮影装置
１０  カメラ本体部
１０ａ  筐体
１０ｂ  指標
２０  交換レンズ
１００  ＣＰＵ
１０２  操作部
１０２ａ  ＬＶボタン
１０４ｂ  再生ボタン
１０２ｃ  ＭＥＮＵボタン
１０２ｄ  ＡＦボタン
１０２ｅ  ＩＮＦＯボタン
１０２ｆ  電源レバー
１０２ｇ  レリーズスイッチ
１０２ｈ  電子ダイヤル
１０４  駆動回路
１０６  発光部
１０６ａ〜１０６ｃ  ＬＥＤ
１０６Ａ、１０６Ｂ  ホルダ
１０６Ａａ、１０６Ｂａ  遮光壁
１０８  外光検知部
１１０  シャッタ
１１２  固体撮像素子
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
２００  撮影レンズ
２０２  絞り
３００  メモリカード
１０２０  操作部材
１０２１  モードダイヤル
１０２１ａ  銘板面
１０２２  中央キー
１０２２Ａ  決定キー
１０２２Ｂａ〜１０２２Ｂｄ  機能キー
【図１】
0006439226.tif 000002
【図２】
0006439226.tif 000003
【図３】
0006439226.tif 000004
【図４】
0006439226.tif 000005
【図５】
0006439226.tif 000006
【図６】
0006439226.tif 000007